(57)【要約】【課題】本発明は、マルチセッション方式で記録された全てのディスク状記録媒体を再生できるようにする。【解決手段】本発明は、再生時、最初に第１セッションにおける第１ＴＯＣだけを読み出し、切換手段によってマルチセッション対応であることが選択されていた場合に初めて第２セッション以降のＴＯＣを読み出してマルチセッションモードとして再生し、マルチセッション非対応であることが選択されていた場合にはシングルセッションモードとして第１セッションのみを再生するようにしたことにより、第１セッションにおける第１ＴＯＣの属性情報と矛盾する属性情報が第２セッションにおける第２ＴＯＣに書き込まれているコピーコントロールＣＤについても切換手段を介してマルチセッション非対応であることを選択することで当該コピーコントロールＣＤの第１セッションを確実に再生することができる。【選択図】        図１
2004246998.tif 000002
【特許請求の範囲】
【請求項１】
ディスク状記録媒体から再生信号を読み取る再生手段と、
再生時に上記ディスク状記録媒体がマルチセッション方式で記録されたものであるか否かに基づいてマルチセッション対応であるか又はマルチセッション非対応であるかを切り換えるための切換手段と、
上記再生手段により上記ディスク状記録媒体を再生する際、最初に第１セッションにおける第１ＴＯＣ（Ｔａｂｌｅ  Ｏｆ  Ｃｏｎｔｅｎｔ）の属性情報だけを読み出し、上記切換手段によって上記マルチセッション対応であることが選択されていた場合には第２セッション以降のＴＯＣの属性情報を読み出して上記再生手段によりマルチセッションモードとして再生し、上記マルチセッション非対応であることが選択されていた場合には上記再生手段によりシングルセッションモードとして上記第１セッションを再生する制御手段と
を具えることを特徴とするマルチセッション対応再生装置。
【発明の詳細な説明】
【０００１】
【発明の属する技術分野】
本発明はマルチセッション対応再生装置に関し、例えばマルチセッション方式で記録されているＣＤ−Ｒ（Ｃｏｍｐａｃｔ  Ｄｉｓｃ−Ｗｒｉｔｅ  Ｏｎｃｅ）、ＣＤ−ＲＷ（Ｃｏｍｐａｃｔ  Ｄｉｓｃ−Ｒｅ−Ｗｒｉｔａｂｌｅ）やマルチセッション方式を利用したコピーコントロールＣＤ（以下、これをＣＣＣＤと呼ぶ）を再生可能とするマルチセッション対応型プレーヤに適用して好適なものである。
【０００２】
【従来の技術】
従来、ＣＤには一つのセッションから成るシングルセッション（以下、これをシングルセッションＣＤと呼ぶ）と、複数のセッションから成るマルチセッション（以下、これをマルチセッションＣＤと呼ぶ）がある。
【０００３】
通常、パーソナルコンピュータでは、ＣＤ−Ｒドライブを介してマルチセッションＣＤにユーザ所望のコンテンツ（オーディオデータ、ゲームプログラム等）を自在に追記書込みできるようになされている。
【０００４】
ここでセッションとは、コンテンツそのものである実データの記録位置を示すリードイン、実データ及び当該実データの終端を示すリードアウトからなる一連のデータ（リードイン、実データ、リードアウト）のことを示している。
【０００５】
従ってマルチセッションＣＤでは、例えば最初に書き込まれた複数曲分のオーディオデータでなる一連のデータ部分が第１セッションとなり、その後追記書込みされる度に、第２セッション、第３セッション、……、と記憶容量の範囲内で順次セッションが増えていく構造となっている。
【０００６】
このようにパーソナルコンピュータのＣＤ−Ｒドライブで追記書込みしたマルチセッションＣＤを例えば一般のＣＤプレーヤで再生しようとした場合、当該一般のＣＤプレーヤでは通常のＣＤすなわちシングルセッションＣＤにしか対応していないため、第１セッションを再生することはできるが、第２セッション以降を再生することはできない。
【０００７】
そこで、最近では一般のＣＤプレーヤにおいても、マルチセッション対応型が求められている。このようなマルチセッション対応型プレーヤでは、装填された未記録のマルチセッションＣＤに複数種類のコンテンツを順次追記記録することができ、また当該追記記録したマルチセッションＣＤを再生することもできるが、その場合でも一つ問題が残る。
【０００８】
近年では、例えばパーソナルコンピュータにおいては通常のＣＤを再生したことによって得られたディジタルオーディオデータをディジタルデータのままハードディスクにリッピング（保存）し、当該ハードディスクから他の例えばＣＤ−Ｒ／ＲＷやＭＤ（Ｍｉｎｉ  Ｄｉｓｃ）等の記録媒体にＤｉｇｉｔａｌ  ｔｏ  Ｄｉｇｉｔａｌで著作権を侵害したコピーや、ネットワークを介しての譲渡等の不正な使用をすることが簡単に行われている。
【０００９】
そこで、このような著作権を侵害した使用を防止すべくパーソナルコンピュータでの読み込みを実行させないように特殊加工の施された構造のＣＣＣＤ（Ｃｏｐｙ  Ｃｏｎｔｒｏｌ  ＣＤ）が開発されており、このＣＣＣＤにもいわゆるマルチセッション方式を利用したものがある。
【００１０】
この種のＣＣＣＤは、例えば「レーベルゲート」、「Ｋｅｙ２ａｕｄｉｏ」等の各種方式が存在し、第１セッションに例えば音楽コンテンツ等の複数曲分のオーディオデータが記録され、第２セッションに例えば圧縮されたプログラムデータが記録されている等の複数セッションによって構成されている。
【００１１】
また各セッションのリードインエリアにはＴＯＣ（Ｔａｂｌｅ  ｏｆ  ｃｏｎｔｅｎｔ）が存在し、当該ＴＯＣには例えばデータの種類（オーディオデータ、プログラムデータ等）を示す識別情報、データ記録時間、次セッションにおけるデータの種類、書込位置や時間情報等の各種情報が属性情報として書き込まれている。
【００１２】
実際上、第１セッションにおける第１ＴＯＣには第１セッションに記録されているオーディオデータに関する属性情報が書き込まれており、また第２ＴＯＣには第２セッションに記録されているオーディオデータに関する属性情報のみならず、第１ＴＯＣの属性情報についても書き込まれている。
【００１３】
また第３ＴＯＣには、第３セッションに記録されているオーディオデータに関する属性情報のみならず、第１ＴＯＣ及び第２ＴＯＣの属性情報についても書き込まれており、同様に第４ＴＯＣ以降にはそのセッションに記録されているオーディオデータに関する属性情報と、そのセッション以前の全てのセッション（第１、第２及び第３セッション）に関するＴＯＣの属性情報が書き込まれている。
【００１４】
ところで、第１セッションの第１ＴＯＣに書き込まれている属性情報と、第２セッションの第２ＴＯＣに書き込まれている属性情報とを比較した場合、第１ＴＯＣ及び第２ＴＯＣの双方に書き込まれている第１セッションのオーディオデータに関する属性情報については本来一致しなければならないところ、ＣＣＣＤについては一致せずに矛盾してしまうような属性情報が第２セッションの第２ＴＯＣには書き込まれている。
【００１５】
従ってパーソナルコンピュータがＣＤ−Ｒドライブを介してＣＣＣＤを再生しようとした場合、当該ＣＤ−Ｒドライブは最初にＣＣＣＤの全セッションにおける全ＴＯＣを読み出し、当該ＣＣＣＤに記録されている全てのオーディオデータに関する属性情報を認識しようとするため、その時点で第１ＴＯＣの属性情報と第２ＴＯＣの属性情報とが相互に矛盾を生じることになり、当該第１セッションに記録されたオーディオデータを再生することが出来なくなってしまう。
【００１６】
すなわち一般のＣＤプレーヤを単にマルチセッション対応型プレーヤとしただけでは、ＣＣＣＤが装填されたときにまず全セッションにおける全ＴＯＣを読み出すことになるので、第１ＴＯＣに続いて第２ＴＯＣの属性情報を読み出した時点で第１ＴＯＣの属性情報と第２ＴＯＣの属性情報とが相互に矛盾を生じ、第１セッションを再生することが出来なくなってしまう。
【００１７】
【発明が解決しようとする課題】
このようにかかる構成でなる従来のマルチセッション対応型プレーヤにおいては、一般のＣＤプレーヤを単にマルチセッション対応型としただけであるため、通常のＣＤ（シングルセッションＣＤ）を再生することはできても、ＣＣＣＤのようなマルチセッションＣＤについては再生出来なくなってしまうという問題があった。
【００１８】
本発明は以上の点を考慮してなされたもので、マルチセッション方式で記録された全てのディスク状記録媒体についても再生し得るマルチセッション対応再生装置を提案しようとするものである。
【００１９】
【課題を解決するための手段】
かかる課題を解決するため本発明においては、ディスク状記録媒体から再生信号を読み取る再生手段と、再生時にディスク状記録媒体がマルチセッション方式で記録されたものであるか否かに基づいてマルチセッション対応であるか又はマルチセッション非対応であるかを切り換えるための切換手段と、再生手段によりディスク状記録媒体を再生する際、最初に第１セッションにおける第１ＴＯＣ（Ｔａｂｌｅ  Ｏｆ  Ｃｏｎｔｅｎｔ）の属性情報だけを読み出し、切換手段によってマルチセッション対応であることが選択されていた場合には第２セッション以降のＴＯＣの属性情報を読み出して再生手段によりマルチセッションモードとして再生し、マルチセッション非対応であることが選択されていた場合には再生手段によりシングルセッションモードとして第１セッションを再生する制御手段とを設けるようにする。
【００２０】
再生時、最初に第１セッションにおける第１ＴＯＣの属性情報だけを読み出し、切換手段によってマルチセッション対応であることが選択されていた場合に初めて第２セッション以降のＴＯＣの属性情報を読み出してマルチセッションモードとして再生し、マルチセッション非対応であることが選択されていた場合にはシングルセッションモードとして第１セッションのみを再生するようにしたことにより、第１セッションにおける第１ＴＯＣの属性情報と第２セッションにおける第２ＴＯＣの属性情報とが相互に矛盾するコピーコントロールＣＤについても、切換手段を介してマルチセッション非対応であることが選択されることによって当該コピーコントロールＣＤの第１セッションについて確実に再生することができる。
【００２１】
【発明の実施の形態】
以下、図面について、本発明の一実施の形態を詳述する。
【００２２】
図１において、１は全体として本発明におけるマルチセッション対応型プレーヤの外観構成を示し、正面パネル２に通常のシングルセッションＣＤ、マルチセッションＣＤ（ＣＤ−Ｒ）、ＣＣＣＤ等の各種ディスク状記録媒体３を装填するための装着口４が設けられていると共に、当該ディスク状記録媒体３の再生時間、記録時間、曲名、操作状況等の各種情報を示すための液晶ディスプレイでなる表示部５及び停止ボタン６、再生ボタン７、早送りボタン８、早戻しボタン９、一時停止ボタン１０及び切換手段としてのマルチセッション対応オンオフボタン１２が設けられている。
【００２３】
続いてマルチセッション対応型プレーヤ１の回路構成について説明する。図２に示すようにマルチセッション対応プレーヤ１は、機構部２１及び信号処理部２２を有し、当該機構部２１及び信号処理部２２を制御手段としてのＣＰＵ（Ｃｅｎｔｒａｌ  Ｐｒｏｃｅｓｓｉｎｇ  Ｕｎｉｔ）２０によって統括制御するようになされている。
【００２４】
因みにＣＰＵ２０は、図示しないＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を有し、当該ＲＯＭに予め格納されているマルチセッション対応プログラムをＲＡＭに展開することにより、当該マルチセッション対応プログラムに従って後述するマルチセッション対応再生処理手順を実行するようになされている。
【００２５】
機構部２１は、装着口４から装填されたディスク状記録媒体３を所定の回転速度で回転駆動するディスク回転モータ２３、ディスク状記録媒体３の信号記録面から再生信号Ｓ１を読み取る再生手段としての光ピックアップ２４及び、ＣＰＵ２０の制御に従ってユーザ所望のセッションへアクセスするべく光ピックアップ２４を移動させる駆動部２５によって構成されている。
【００２６】
信号処理部２２は、光ピックアップ２４によって読み取られた再生信号Ｓ１を２値化することによりディジタルの再生データＤ２を生成するＲＦ（Ｒａｄｉｏ  Ｆｒｅｑｕｅｎｃｙ）部２５、再生データＤ２に対して所定の復調処理、誤り訂正処理等の各種ディジタル信号処理を施すディジタルシグナルプロセッサ（ＤＳＰ）２６、及び当該ＤＳＰ２６によって復調処理等が行われた結果得られる例えばオーディオデータＤ４をディジタルアナログ変換処理するディジタルアナログ変換回路２７によって構成されている。
【００２７】
実際上、マルチセッション対応型プレーヤ１は、通常再生処理を行う場合、装着口４から装填されたディスク状記録媒体３をディスク回転モータ２３によって所定の回転速度で回転駆動し、光ピックアップ２４によってディスク状記録媒体３の信号記録面から読み取った再生信号Ｓ１をＲＦ部２５へ送出する。
【００２８】
ＲＦ部２５は、再生信号Ｓ１を２値化することにより再生データＤ２を得、これを後段のＤＳＰ２６へ送出する。
【００２９】
ＤＳＰ２６は、再生データＤ２のうちリードインエリアのＴＯＣに書き込まれている属性情報Ｄ３についてはＣＰＵ２０へ送出すると共に、再生データＤ２のうちオーディオデータＤ４については後段のＤ／Ａコンバータ２７へ送出する。
【００３０】
ＣＰＵ２０は、ＤＳＰ２６から供給された属性情報Ｄ３に基づいて曲名や再生時間等を表示部５に表示する。なおＣＰＵ２０は、停止ボタン６、再生ボタン７、早送りボタン８、早戻しボタン９又は一時停止ボタン１０に対する操作に応じたディジタル信号処理をＤＳＰ２６に対して実行させるための各種命令を与えるようになされている。
【００３１】
Ｄ／Ａコンバータ２７は、オーディオデータＤ４をアナログのオーディオ信号Ｓ５に変換した後、これをスピーカ（図示せず）を介して出力するようになされている。
【００３２】
ここまでが通常再生処理の説明であり、次に本発明におけるマルチセッション対応ボタン１２を用いたマルチセッション対応再生処理手順について説明する。
【００３３】
図３に示すようにマルチセッション対応型プレーヤ１のＣＰＵ２０は、マルチセッション対応プログラムに従ってマルチセッション対応再生処理手順を実行するようになされており、ルーチンＲＴ１の開始ステップから入ってステップＳＰ１へ移る。
【００３４】
ステップＳＰ１においてＣＰＵ２０は、装着口４からディスク状記録媒体３が装填されたことを認識すると、次のステップＳＰ２へ移る。
【００３５】
ステップＳＰ２においてＣＰＵ２０は、ユーザによって正面パネル２の再生ボタン７が押下されたことを認識すると、次のステップＳＰ３へ移る。
【００３６】
ステップＳＰ３においてＣＰＵ２０は、ディスク状記録媒体３の第１セッションにおける第１ＴＯＣの属性情報だけを読み込み、次のステップＳＰ４へ移る。
【００３７】
ここで、ＣＰＵ２０は、ディスク状記録媒体３が通常のシングルセッションＣＤ、マルチセッションＣＤ若しくはＣＣＣＤであろうが関係なく、常に第１セッションの第１ＴＯＣに書き込まれている属性情報のみを読み出すようになされている。
【００３８】
これによりＣＰＵ２０は、仮にディスク状記録媒体３がＣＣＣＤであった場合でも、ディスク状記録媒体３が装填されたときに全セッションの全ＴＯＣを全て読み出すことがなく、第１セッションにおける第１ＴＯＣの属性情報だけを認識することになる。
【００３９】
従ってＣＰＵ２０は、ＣＣＣＤの第１セッションにおける第１ＴＯＣの属性情報に続いて第２セッションにおける第２ＴＯＣの属性情報を読み出してしまうことによる弊害、すなわち第２ＴＯＣの属性情報を読み出した時点で第１ＴＯＣに書き込まれている第１セッションに関する属性情報と、第２ＴＯＣに書き込まれている第１セッションに関する属性情報とが一致しないという矛盾が生じることにより第１セッションを再生することが出来なくなってしまう不都合を予め回避し得るようになされている。
【００４０】
ステップＳＰ４においてＣＰＵ２０は、ディスク状記録媒体３が装填されて再生ボタン７が押下される前に、ユーザによってマルチセッション対応オンオフボタン１２がオン状態にされていたか否かを判定する。
【００４１】
ここでユーザは、ディスク状記録媒体３がマルチセションＣＤであるときのみマルチセッション対応オンオフボタン１２を押下してオン状態とし、ディスク状記録媒体３が通常のシングルセッションＣＤ若しくはＣＣＣＤであるときにはマルチセッション対応オンオフボタン１２を押下せずオフ状態とするものとする。
【００４２】
というのはＣＣＣＤの場合、マルチセッション対応オンオフボタン１２が押下されてしまってＣＰＵ２０が第１ＴＯＣに引き続き次のステップＳＰ６で第２ＴＯＣの属性情報を読み出してしまうと、当該第２ＴＯＣの属性情報を読み出してしまうことによる弊害すなわち第１セッションを再生することが出来なくなる不都合が起きるからである。
【００４３】
このため、ユーザはディスク状記録媒体３がＣＣＣＤであると認識したときにはマルチセッション対応オンオフボタン１２を押下せず、シングルセッションモードとしてＣＣＣＤを再生させるように設定すれば、少なくともオーディオデータの記録されている第１セッションだけは確実に再生することができるのである。
【００４４】
このステップＳＰ４で否定結果が得られると、このことはマルチセッション対応オンオフボタン１２が当該ユーザによって押下されていなかったことを表しており、このときＣＰＵ２０は次のステップＳＰ５へ移る。
【００４５】
ステップＳＰ５においてＣＰＵ２０は、マルチセッション対応オンオフボタン１２が押下されておらずオフ状態であるので、ディスク状記録媒体３がシングルセッションＣＤ若しくはＣＣＣＤであるかに係わらず、当該ディスク状記録媒体３の第１セッションだけをシングルセッションモードで再生した後、次のステップＳＰ８へ移って処理を終了する。
【００４６】
この場合、ＣＰＵ２０は駆動部２５により光ピックアップ２４を移動させて第１セッションだけを再生させる。これによりＣＰＵ２０は、ディスク状記録媒体３がシングルセッションＣＤである場合は当然のこと、ディスク状記録媒体３がＣＣＣＤである場合でも第１セッションだけは確実に再生することができる。
【００４７】
これに対してステップＳＰ４で肯定結果が得られると、このことは装着口４に装填されたディスク状記録媒体３がマルチセッションＣＤであるとユーザが判断し、その結果マルチセッション対応オンオフボタン１２が当該ユーザによって押下されていたことを表しており、このときＣＰＵ２０は次のステップＳＰ６へ移る。
【００４８】
ステップＳＰ６においてＣＰＵ２０は、当該装填されたディスク状記録媒体３に対して次の第２セッションにおける第２ＴＯＣを読み込み、次のステップＳＰ７へ移る。
【００４９】
ステップＳＰ７においてＣＰＵ２０は、ディスク状記録媒体３をマルチセッションＣＤであるものとして第１ＴＯＣ、第２ＴＯＣ、……、第ｎＴＯＣまでの全ＴＯＣを読み出した後、第１セッションから第ｎセッションまでを順次再生するマルチセッションモードで再生し、次のステップＳＰ８へ移って処理を終了する。
【００５０】
この場合、ＣＰＵ２０は駆動部２５により光ピックアップ２４を移動させて第１セッションから第ｎセッションまでを全て再生することにより、マルチセッションＣＤの全セッションを順次再生し得るようになされている。
【００５１】
以上の構成において、マルチセッション対応型プレーヤ１のＣＰＵ２０は、装填されたディスク状記録媒体３がシングルセッションＣＤ、マルチセッションＣＤ若しくはＣＣＣＤのいずれであっても、最初に第１セッションにおける第１ＴＯＣの属性情報だけを読み出し、第２セッション以降のＴＯＣについては読み出さない。
【００５２】
従ってマルチセッション対応型プレーヤ１のＣＰＵ２０は、ディスク状記録媒体３がＣＣＣＤであった場合でも、最初に全セッションにおける全ＴＯＣを読み出してしまうことがないので、第２ＴＯＣの属性情報を読み出してしまうことによる弊害、すなわち第２ＴＯＣの属性情報を読み出した時点で第１ＴＯＣの属性情報と第２ＴＯＣの属性情報とが相互に矛盾を生じ、第１セッションを再生することが出来なくなってしまうという不都合を回避することができる。
【００５３】
当然マルチセッション対応型プレーヤ１のＣＰＵ２０は、ディスク状記録媒体３がシングルセッションＣＤ、マルチセッションＣＤであった場合でも、第１セッションにおける第１ＴＯＣの属性情報を読み出すことで何ら不都合が生じることもない。
【００５４】
そしてマルチセッション対応型プレーヤ１のＣＰＵ２０は、マルチセッション対応オンオフボタン１２が押下されていないときには、ディスク状記録媒体３の第１セッションのみを再生するシングルセッションモードとして再生することができるので、ディスク状記録媒体３がＣＣＣＤであったとしてもオーディオデータが記録されている第１セッションについては確実に再生することができる。
【００５５】
またマルチセッション対応型プレーヤ１のＣＰＵ２０は、ディスク状記録媒体３がマルチセッションＣＤであるにも係わらず、マルチセッション対応オンオフボタン１２が押下されていない誤操作があったときでも、当該マルチセッションＣＤの第１セッションのみは確実に再生することができる。
【００５６】
さらにマルチセッション対応型プレーヤ１のＣＰＵ２０は、第１セッションにおける第１ＴＯＣの属性情報を読み出した後、マルチセッション対応オンオフボタン１２が押下されているときには次の第２セッションにおける第２ＴＯＣの属性情報を読み出してマルチセッションモードとして再生することにより、マルチセッションＣＤに対しても第２セッション以降を確実に再生することができる。
【００５７】
ところで、ディスク状記録媒体３がＣＣＣＤであることをユーザが忘れている場合であって、マルチセッション対応オンオフボタン１２をユーザが意識していないときには当然マルチセッション対応オンオフボタン１２が押下されないことが起こり得る。
【００５８】
しかしながら、このような場合であってもマルチセッション対応型プレーヤ１のＣＰＵ２０は、マルチセッション対応オンオフボタン１２が押下されていないときには必ずシングルセッションモードとして再生するようにしたことにより、ディスク状記録媒体３がＣＣＣＤである場合、ユーザに対して何らかの特別な操作をさせることなく当該ＣＣＣＤの第１セッションを確実に再生することができる。
【００５９】
以上の構成によれば、マルチセッション対応型プレーヤ１のＣＰＵ２０は、ディスク状記録媒体３が装填されたとき、最初に第１セッションにおける第１ＴＯＣの属性情報だけを読み出し、マルチセッション対応オンオフボタン１２が押下されているときに限って次の第２セッション以降のＴＯＣを読み出してマルチセッションモードとして再生し、マルチセッション対応オンオフボタン１２が押下されていないときにはシングルセッションモードとして再生するようにしたことにより、シングルセッションＣＤ及びＣＣＣＤについては何ら特別な操作をさせることなく再生ボタン７の操作だけで確実に再生することができると共に、マルチセッションＣＤについてもマルチセッション対応オンオフボタン１２の押下操作だけで確実に再生することができる。
【００６０】
なお上述の実施の形態においては、ディスク状記録媒体３としてシングルセッションＣＤ、マルチセッションＣＤ（ＣＤ−Ｒ）、ＣＣＣＤを適用対象として用いるようにした場合について述べたが、本発明はこれに限らず、マルチセッション方式で追記記録されるディスク状記録媒体であれば他の種々のディスク状記録媒体を用いるようにしても良い。
【００６１】
また上述の実施の形態においては、切換手段としてのマルチセッション対応オンオフボタン１２が正面パネル２上に設けられるようにした場合について述べたが、本発明はこれに限らず、正面パネル２上でなくても、表示部５を介してマルチセッション対応オンオフアイコンとして常時表示するようにしても良い。
【００６２】
さらに上述の実施の形態においては、切換手段としてのマルチセッション対応オンオフボタン１２が正面パネル２上に設けられるようにした場合について述べたが、本発明はこれに限らず、専用のマルチセッション対応オンオフボタン１２でなくても、例えばメニューボタンを配し、選択項目の一つとしてマルチセッション対応オンオフを選択できるようにしても良い。
【００６３】
さらに上述の実施の形態においては、切換手段としてのマルチセッション対応オンオフボタン１２が正面パネル２上に設けられるようにした場合について述べたが、本発明はこれに限らず、当該マルチセッション対応型プレーヤ１と接続する別の機器からの通信によりマルチセッション対応オンオフを選択できるようにしても良い。
【００６４】
さらに上述の実施の形態においては、押下されたときにマルチセッション対応とし、押下されていないときにマルチセッション非対応とする切換手段としてのマルチセッション対応オンオフボタン１２を正面パネル１２に設け、上述したマルチセッション対応再生処理手順を実行するようにした場合について述べたが、本発明はこれに限らず、マルチセッション対応オンオフボタン１２の代わりに、押下されたときにマルチセッション非対応とし、押下されていないときにマルチセッション対応とするＣＣＣＤ対応オンオフボタンを設け、当該ＣＣＣＤ対応オンオフボタンが押下されたときにシングルセッションモードとして再生し、押下されていないときにはマルチセッションモードとして再生するようにしても良い。
【００６５】
さらに上述の実施の形態においては、第２セッションにおけるＴＯＣの属性情報に第１セッションにおけるＴＯＣの属性情報と矛盾を生じさせるような構造を有するＣＣＣＤに適用するようにした場合について述べたが、本発明はこれに限らず、第２セッションにおけるＴＯＣの属性情報ではなく、第３セッション、第４セッション等その他のセッションにおけるＴＯＣの属性情報に一つ前のセッションにおけるＴＯＣの属性情報と矛盾を生じさせるような構造のＣＣＣＤに適用するようにしても良い。
【００６６】
【発明の効果】
上述のように本発明によれば、再生時、最初に第１セッションにおける第１ＴＯＣの属性情報だけを読み出し、切換手段によってマルチセッション対応であることが選択されていた場合に初めて第２セッション以降のＴＯＣの属性情報を読み出してマルチセッションモードとして再生し、マルチセッション非対応であることが選択されていた場合にはシングルセッションモードとして第１セッションのみを再生するようにしたことにより、第１セッションにおける第１ＴＯＣの属性情報と第２セッションにおける第２ＴＯＣの属性情報とが相互に矛盾するコピーコントロールＣＤについても、切換手段を介してマルチセッション非対応であることが選択されることによって当該コピーコントロールＣＤの第１セッションについて確実に再生することができ、かくしてマルチセッション方式で記録された全てのディスク状記録媒体を再生し得るマルチセッション対応再生装置を実現することができる。
【図面の簡単な説明】
【図１】本発明を適用したマルチセッション対応型プレーヤの外観構成を示す略線的斜視図である。
【図２】マルチセッション対応型プレーヤの回路構成を示す略線的ブロック図である。
【図３】マルチセッション対応再生処理手順を示すフローチャートである。
【符号の説明】
１……マルチセッション対応型プレーヤ、３……ディスク状記録媒体、４……装着口、５……表示部、１２……マルチセッション対応オンオフボタン、２０……ＣＰＵ、２１……機構部、２２……信号処理部、２４……光ピックアップ、２５……ＲＦ部、２６……ＤＳＰ。
【図１】
2004246998.tif 000003
【図２】
2004246998.tif 000004
【図３】
2004246998.tif 000005